(57)【要約】      （修正有）【課題】本発明は使用範囲が広いミニ扇風機を提供する。【解決手段】扇風機主体１１を含み、挟みヘッドを揺り動かすと挟みヘッドを取り出すことができ、取り付ける時、右スライダを右へ押し、挟みヘッドを挿入し、右スライダが第二ばねの作用のもとで左へ移動して右挿しブロックに挿入されて連結され、ネジヘッドを利用して左スライダを連動させて移動させ、挟みヘッドをきつく挟み、伸縮ロッド１４の長さを制御することにより外殻１０の高さを制御し、挟みヘッドを取り出し、手に持って使用することも手で持たないで使用することもでき、台座１５をを利用して本発明を平面に置いて使用し、また左スライダと右スライダにより板状の物に挟んで使用することができ、しかも折り畳んで使用することもできる。【選択図】図１
2020176619.tif 000002
【特許請求の範囲】
【請求項１】
扇風機主体を含み、前記扇風機主体の外側には外殻が設置され、前記外殻の中には均一に分布している弧状電池が設置され、前記外殻の底部端面には回転ベースが設置され、前記回転ベースの下方には前記外殻と前記回転ベースとを回転させることができる回転部品が設置され、前記回転部品は挟みベースを含み、前記挟みベースの中には挟み部品が設置され、前記挟み部品は前記挟みベースの中に位置している挟みチャンバを含み、前記挟みチャンバの左右壁の間にはガイドロッドが固定的に装着され、前記ガイドロッドには左スライダと右スライダとがスライドできるように装着され、前記左スライダと前記右スライダとの間が台座部分を挟むことができ、前記台座部分は伸縮ロッドと前記伸縮ロッドとネジ山により結合されている台座とを含み、前記台座と前記外殻との間には前記外殻が反転して倒れることを防止できる安定部品が設置されていることを特徴とする使用範囲が広いミニ扇風機。
【請求項２】
前記回転部品はまた、前記挟みベースの中に位置している噛み合いチャンバを含み、前記回転ベースの底部端面には連結ブロックが設置され、前記連結ブロックの底部端面にはギヤが設置され、前記ギヤが前記噛み合いチャンバの中に位置しており、前記噛み合いチャンバの右側壁の中にはラックブロック溝が設置され、前記ラックブロック溝の中にはラックブロックがスライドできるように装着され、前記ラックブロックが前記ギヤと噛み合え、前記ラックブロックの右側端面には連結ロッドが連結され、前記ラックブロックと前記ラックブロック溝の右側壁との間には第一ばねが設置され、風を吹き送る方向を変える時、前記連結ロッドを右へ引き、前記ラックブロックを連動させて右へ移動させ、前記ラックブロックと前記ギヤとの噛み合いを解除し、前記回転ベースを回転させることができ、これにより前記外殻を連動させて同期に回転させ、そして前記連結ロッドを放し、前記第一ばねの作用のもとで前記ラックブロックが前記ギヤと再び噛み合うことを特徴とする請求項１に記載の使用範囲が広いミニ扇風機。
【請求項３】
前記挟み部品はまた、前記左スライダとネジ山により結合されているネジヘッドを含み、前記ネジヘッドが前記挟みベースの左側から前記挟みチャンバの中に挿し込んでおり、前記右スライダの右側端面と前記挟みチャンバの右側壁との間には第二ばねが設置され、前記台座部分はまた、連結ベースを含み、前記連結ベースの頂部端面には挟みヘッドが設置され、前記挟みヘッドの左側端面には左挿しブロックが設置され、前記左挿しブロックが前記左スライダの中に挿入されることができるように連結されることができ、前記挟みヘッドの右側端面には右挿しブロックが設置され、前記右挿しブロックが前記右スライダの中に挿入されることができるに連結されることができ、前記伸縮ロッドが手動転輪を通じて前記連結ベースと固定されており、前記ネジヘッドを回転させてネジ山結合により前記左スライダを連動させて移動させ、前記左スライダが左へ移動した後で前記左挿しブロックが前記左スライダから出て、前記挟みヘッドを揺り動かすと前記挟みヘッドを取り出すことができ、取り付ける時、前記右スライダを右へ押し、前記挟みヘッドを挿入し、前記右スライダが前記第二ばねの作用のもとで左へ移動して前記右挿しブロックに挿入されて連結され、前記ネジヘッドを利用して前記左スライダを連動させて移動させ、前記挟みヘッドをきつく挟み、前記伸縮ロッドの長さを制御することにより前記外殻の高さを制御することを特徴とする請求項１に記載の使用範囲が広いミニ扇風機。
【請求項４】
前記安定部品は前記台座の中に位置しており、且つ上へ開口した左右対称の挿し溝を含み、前記台座の中には上へ開口した左右対称のロッド溝が設置され、前記ロッド溝の中には斜め溝が設置され、前記ロッド溝の左右壁の間には回転リングが回転できるように装着され、前記回転リングにはロッドが設置され、前記外殻の後側端面には左右対称の凹溝が設置され、前記挟みベースの底端が前記挿し溝の中に挿し込むことができ、前記伸縮ロッドと前記挟みヘッドとを取り出した後、前記挟みベースを前記台座に置き、前記ネジヘッドにより前記ロッド溝の中の前記ロッドを反転させ、前記凹溝と位置合わせして前記ロッドを前記凹溝の中に入れ、前記外殻の位置を安定させ、前記外殻が後ろへ反転することを防止することを特徴とする請求項１に記載の使用範囲が広いミニ扇風機。
【発明の詳細な説明】
【技術分野】
【０００１】
本発明は手持ち扇風機分野を取り上げて、具体的には使用範囲が広いミニ扇風機である。
【背景技術】
【０００２】
手持ち扇風機は便利の物であり、いつでも風を吹き送って熱量を追い払うことができ、しかし、一般的なミニ扇風機はただ手に持って使用されることでき、ミニ扇風機を固定できなく、使用範囲が狭い。
【先行技術文献】
【特許文献】
【０００３】
【特許文献１】中国特許出願公開第106949077号明細書
【発明の概要】
【発明が解決しようとする課題】
【０００４】
本発明は使用範囲が広いミニ扇風機を提供し、従来技術における上記欠点を解消することを目的とする。
【課題を解決するための手段】
【０００５】
本発明の実施例の使用範囲が広いミニ扇風機は、扇風機主体を含み、前記扇風機主体の外側には外殻が設置され、前記外殻の中には均一に分布している弧状電池が設置され、前記外殻の底部端面には回転ベースが設置され、前記回転ベースの下方には前記外殻と前記回転ベースとを回転させることができる回転部品が設置され、前記回転部品は挟みベースを含み、前記挟みベースの中には挟み部品が設置され、前記挟み部品は前記挟みベースの中に位置している挟みチャンバを含み、前記挟みチャンバの左右壁の間にはガイドロッドが固定的に装着され、前記ガイドロッドには左スライダと右スライダとがスライドできるように装着され、前記左スライダと前記右スライダとの間が台座部分を挟むことができ、前記台座部分は伸縮ロッドと前記伸縮ロッドとネジ山により結合されている台座とを含み、前記台座と前記外殻との間には前記外殻が反転して倒れることを防止できる安定部品が設置されている。
【０００６】
更の技術プランとしては、前記回転部品はまた、前記挟みベースの中に位置している噛み合いチャンバを含み、前記回転ベースの底部端面には連結ブロックが設置され、前記連結ブロックの底部端面にはギヤが設置され、前記ギヤが前記噛み合いチャンバの中に位置しており、前記噛み合いチャンバの右側壁の中にはラックブロック溝が設置され、前記ラックブロック溝の中にはラックブロックがスライドできるように装着され、前記ラックブロックが前記ギヤと噛み合え、前記ラックブロックの右側端面には連結ロッドが連結され、前記ラックブロックと前記ラックブロック溝の右側壁との間には第一ばねが設置され、風を吹き送る方向を変える時、連結ロッドを右へ引き、ラックブロックを連動させて右へ移動させ、ラックブロックとギヤとの噛み合いを解除し、回転ベースを回転させることができ、これにより外殻を連動させて同期に回転させ、そして連結ロッドを放し、第一ばねの作用のもとでラックブロックがギヤと再び噛み合う。
【０００７】
更の技術プランとしては、前記挟み部品はまた、前記左スライダとネジ山により結合されているネジヘッドを含み、前記ネジヘッドが前記挟みベースの左側から前記挟みチャンバの中に挿し込んでおり、前記右スライダの右側端面と前記挟みチャンバの右側壁との間には第二ばねが設置され、前記台座部分はまた、連結ベースを含み、前記連結ベースの頂部端面には挟みヘッドが設置され、前記挟みヘッドの左側端面には左挿しブロックが設置され、前記左挿しブロックが前記左スライダの中に挿入されることができるように連結されることができ、前記挟みヘッドの右側端面には右挿しブロックが設置され、前記右挿しブロックが前記右スライダの中に挿入されることができるに連結されることができ、前記伸縮ロッドが手動転輪を通じて前記連結ベースと固定されており、ネジヘッドを回転させてネジ山結合により左スライダを連動させて移動させ、左スライダが左へ移動した後で左挿しブロックが左スライダから出て、挟みヘッドを揺り動かすと挟みヘッドを取り出すことができ、取り付ける時、右スライダを右へ押し、挟みヘッドを挿入し、右スライダが第二ばねの作用のもとで左へ移動して右挿しブロックに挿入されて連結され、ネジヘッドを利用して左スライダを連動させて移動させ、挟みヘッドをきつく挟み、伸縮ロッドの長さを制御することにより外殻の高さを制御する。
【０００８】
更の技術プランとしては、前記安定部品は前記台座の中に位置しており、且つ上へ開口した左右対称の挿し溝を含み、前記台座の中には上へ開口した左右対称のロッド溝が設置され、前記ロッド溝の中には斜め溝が設置され、前記ロッド溝の左右壁の間には回転リングが回転できるように装着され、前記回転リングにはロッドが設置され、前記外殻の後側端面には左右対称の凹溝が設置され、前記挟みベースの底端が前記挿し溝の中に挿し込むことができ、伸縮ロッドと挟みヘッドとを取り出した後、挟みベースを台座に置き、ネジヘッドによりロッド溝の中のロッドを反転させ、凹溝と位置合わせしてロッドを凹溝の中に入れ、外殻の位置を安定させ、外殻が後ろへ反転することを防止する。
【発明の効果】
【０００９】
本発明の有益効果は：本発明は構成が簡単で、操作が便利で、手に持って使用することも手で持たないで使用することもでき、台座をを利用して本発明を平面に置いて使用し、また左スライダと右スライダにより板状の物に挟んで使用することができ、しかも折り畳んで使用することもでき、使用範囲が広く、普及の価値がある。
【図面の簡単な説明】
【００１０】
【図１】図１は本発明の全体構成模式図
【図２】図２は折り畳まれた後の右側面図
【図３】図３は図１の中のＡにおける拡大模式図
【発明を実施するための形態】
【００１１】
以下に図１〜３を交えて本発明について詳しく説明する。便利に叙述するために、後文に出る方位を下記の通りに規定する：後文に出る上下左右前後方向は図１本体の投影関係の上下左右前後方向と一致する。
【００１２】
図１〜３を参照し、本発明の実施例の使用範囲が広いミニ扇風機は、扇風機主体１１を含み、前記扇風機主体１１の外側には外殻１０が設置され、前記外殻１０の中には均一に分布している弧状電池１２が設置され、前記外殻１０の底部端面には回転ベース２２が設置され、前記回転ベース２２の下方には前記外殻１０と前記回転ベース２２とを回転させることができる回転部品９０１が設置され、前記回転部品９０１は挟みベース２３を含み、前記挟みベース２３の中には挟み部品９０２が設置され、前記挟み部品９０２は前記挟みベース２３の中に位置している挟みチャンバ２５を含み、前記挟みチャンバ２５の左右壁の間にはガイドロッド２６が固定的に装着され、前記ガイドロッド２６には左スライダ２７と右スライダ３２とがスライドできるように装着され、前記左スライダ２７と前記右スライダ３２との間が台座部分９０３を挟むことができ、前記台座部分９０３は伸縮ロッド１４と前記伸縮ロッド１４とネジ山により結合されている台座１５とを含み、前記台座１５と前記外殻１０との間には前記外殻１０が反転して倒れることを防止できる安定部品９０４が設置されている。
【００１３】
前記回転部品９０１はまた、前記挟みベース２３の中に位置している噛み合いチャンバ３６を含み、前記回転ベース２２の底部端面には連結ブロック４２が設置され、前記連結ブロック４２の底部端面にはギヤ３７が設置され、前記ギヤ３７が前記噛み合いチャンバ３６の中に位置しており、前記噛み合いチャンバ３６の右側壁の中にはラックブロック溝４９が設置され、前記ラックブロック溝４９の中にはラックブロック４１がスライドできるように装着され、前記ラックブロック４１が前記ギヤ３７と噛み合え、前記ラックブロック４１の右側端面には連結ロッド３８が連結され、前記ラックブロック４１と前記ラックブロック溝４９の右側壁との間には第一ばね４０が設置され、風を吹き送る方向を変える時、連結ロッド３８を右へ引き、ラックブロック４１を連動させて右へ移動させ、ラックブロック４１とギヤ３７との噛み合いを解除し、回転ベース２２を回転させることができ、これにより外殻１０を連動させて同期に回転させ、そして連結ロッド３８を放し、第一ばね４０の作用のもとでラックブロック４１がギヤ３７と再び噛み合う。
【００１４】
前記挟み部品９０２はまた、前記左スライダ２７とネジ山により結合されているネジヘッド２８を含み、前記ネジヘッド２８が前記挟みベース２３の左側から前記挟みチャンバ２５の中に挿し込んでおり、前記右スライダ３２の右側端面と前記挟みチャンバ２５の右側壁との間には第二ばね３３が設置され、前記台座部分９０３はまた、連結ベース３０を含み、前記連結ベース３０の頂部端面には挟みヘッド２９が設置され、前記挟みヘッド２９の左側端面には左挿しブロック３５が設置され、前記左挿しブロック３５が前記左スライダ２７の中に挿入されることができるように連結されることができ、前記挟みヘッド２９の右側端面には右挿しブロック３４が設置され、前記右挿しブロック３４が前記右スライダ３２の中に挿入されることができるに連結されることができ、前記伸縮ロッド１４が手動転輪３１を通じて前記連結ベース３０と固定されており、ネジヘッド２８を回転させてネジ山結合により左スライダ２７を連動させて移動させ、左スライダ２７が左へ移動した後で左挿しブロック３５が左スライダ２７から出て、挟みヘッド２９を揺り動かすと挟みヘッド２９を取り出すことができ、取り付ける時、右スライダ３２を右へ押し、挟みヘッド２９を挿入し、右スライダ３２が第二ばね３３の作用のもとで左へ移動して右挿しブロック３４に挿入されて連結され、ネジヘッド２８を利用して左スライダ２７を連動させて移動させ、挟みヘッド２９をきつく挟み、伸縮ロッド１４の長さを制御することにより外殻１０の高さを制御し、挟みヘッド２９を取り出した後、左スライダ２７と右スライダ３２により板状の物に挟むことができる。
【００１５】
前記安定部品９０４は前記台座１５の中に位置しており、且つ上へ開口した左右対称の挿し溝１６を含み、前記台座１５の中には上へ開口した左右対称のロッド溝１７が設置され、前記ロッド溝１７の中には斜め溝１８が設置され、前記ロッド溝１７の左右壁の間には回転リング２４が回転できるように装着され、前記回転リング２４にはロッド２１が設置され、前記外殻１０の後側端面には左右対称の凹溝２０が設置され、前記挟みベース２３の底端が前記挿し溝１６の中に挿し込むことができ、伸縮ロッド１４と挟みヘッド２９とを取り出した後、挟みベース２３を台座１５に置き、ネジヘッド２８によりロッド溝１７の中のロッド２１を反転させ、凹溝２０と位置合わせしてロッド２１を凹溝２０の中に入れ、外殻１０の位置を安定させ、外殻１０が後ろへ反転することを防止する。
【００１６】
使用する時、風を吹き送る方向を変える時、連結ロッド３８を右へ引き、ラックブロック４１を連動させて右へ移動させ、ラックブロック４１とギヤ３７との噛み合いを解除し、回転ベース２２を回転させることができ、これにより外殻１０を連動させて同期に回転させ、そして連結ロッド３８を放し、第一ばね４０の作用のもとでラックブロック４１がギヤ３７と再び噛み合う。
【００１７】
ネジヘッド２８を回転させてネジ山による結合を通じて左スライダ２７を連動させて移動させ、左スライダ２７が左へ移動した後で左挿しブロック３５が左スライダ２７の中から出て、挟みヘッド２９を揺り動かすと挟みヘッド２９を取り出すことができ、取り付ける時、右スライダ３２を右へ押し、挟みヘッド２９を挿入し、右スライダ３２が第二ばね３３の作用のもとで左へ移動して右挿しブロック３４の中に挿入されて連結され、これによりネジヘッド２８を利用して左スライダ２７を連動させて移動させ、挟みヘッド２９をきつく挟み、伸縮ロッド１４の長さを制御することにより外殻１０の高さを制御し、挟みヘッド２９を取り出した後、左スライダ２７と右スライダ３２により板状の物に挟むことができる。
【００１８】
折り畳む時、伸縮ロッド１４と挟みヘッド２９を取り出した後、挟みベース２３を台座１５に置き、ネジヘッド２８によりロッド溝１７の中のロッド２１を反転させ、凹溝２０と位置合わせして凹溝２０の中に入れ、外殻１０の位置を安定させ、外殻１０が後ろへ反転することを防止する。
【００１９】
本発明の有益効果は：本発明は構成が簡単で、操作が便利で、手に持って使用することも手で持たないで使用することもでき、台座をを利用して本発明を平面に置いて使用し、また左スライダと右スライダにより板状の物に挟んで使用することができ、しかも折り畳んで使用することもでき、使用範囲が広く、普及の価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020176619.tif 000003
【図２】
2020176619.tif 000004
【図３】
2020176619.tif 000005
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
扇風機主体を含み、前記扇風機主体の外側には外殻が設置され、前記外殻の中には均一に分布している弧状電池が設置され、前記外殻の底部端面には回転ベースが設置され、前記回転ベースの下方には前記外殻と前記回転ベースとを回転させることができる回転部品が設置され、前記回転部品は挟みベースを含み、前記挟みベースの中には挟み部品が設置され、前記挟み部品は前記挟みベースの中に位置している挟みチャンバを含み、前記挟みチャンバの左右壁の間にはガイドロッドが固定的に装着され、前記ガイドロッドには左スライダと右スライダとがスライドできるように装着され、前記左スライダと前記右スライダとの間が台座部分を挟むことができ、前記台座部分は伸縮ロッドと前記伸縮ロッドとネジ山により結合されている台座とを含み、前記台座と前記外殻との間には前記外殻が反転して倒れることを防止できる安定部品が設置されており、
前記回転部品はまた、前記挟みベースの中に位置している噛み合いチャンバを含み、前記回転ベースの底部端面には連結ブロックが設置され、前記連結ブロックの底部端面にはギヤが設置され、前記ギヤが前記噛み合いチャンバの中に位置しており、前記噛み合いチャンバの右側壁の中にはラックブロック溝が設置され、前記ラックブロック溝の中にはラックブロックがスライドできるように装着され、前記ラックブロックが前記ギヤと噛み合え、前記ラックブロックの右側端面には連結ロッドが連結され、前記ラックブロックと前記ラックブロック溝の右側壁との間には第一ばねが設置され、風を吹き送る方向を変える時、前記連結ロッドを右へ引き、前記ラックブロックを連動させて右へ移動させ、前記ラックブロックと前記ギヤとの噛み合いを解除し、前記回転ベースを回転させることができ、これにより前記外殻を連動させて同期に回転させ、そして前記連結ロッドを放し、前記第一ばねの作用のもとで前記ラックブロックが前記ギヤと再び噛み合い、
前記挟み部品はまた、前記左スライダとネジ山により結合されているネジヘッドを含み、前記ネジヘッドが前記挟みベースの左側から前記挟みチャンバの中に挿し込んでおり、前記右スライダの右側端面と前記挟みチャンバの右側壁との間には第二ばねが設置され、前記台座部分はまた、連結ベースを含み、前記連結ベースの頂部端面には挟みヘッドが設置され、前記挟みヘッドの左側端面には左挿しブロックが設置され、前記左挿しブロックが前記左スライダの中に挿入されることができるように連結されることができ、前記挟みヘッドの右側端面には右挿しブロックが設置され、前記右挿しブロックが前記右スライダの中に挿入されることができるに連結されることができ、前記伸縮ロッドが手動転輪を通じて前記連結ベースと固定されており、前記ネジヘッドを回転させてネジ山結合により前記左スライダを連動させて移動させ、前記左スライダが左へ移動した後で前記左挿しブロックが前記左スライダから出て、前記挟みヘッドを揺り動かすと前記挟みヘッドを取り出すことができ、取り付ける時、前記右スライダを右へ押し、前記挟みヘッドを挿入し、前記右スライダが前記第二ばねの作用のもとで左へ移動して前記右挿しブロックに挿入されて連結され、前記ネジヘッドを利用して前記左スライダを連動させて移動させ、前記挟みヘッドをきつく挟み、前記伸縮ロッドの長さを制御することにより前記外殻の高さを制御し、
前記安定部品は前記台座の中に位置しており、且つ上へ開口した左右対称の挿し溝を含み、前記台座の中には上へ開口した左右対称のロッド溝が設置され、前記ロッド溝の中には斜め溝が設置され、前記ロッド溝の左右壁の間には回転リングが回転できるように装着され、前記回転リングにはロッドが設置され、前記外殻の後側端面には左右対称の凹溝が設置され、前記挟みベースの底端が前記挿し溝の中に挿し込むことができ、前記伸縮ロッドと前記挟みヘッドとを取り出した後、前記挟みベースを前記台座に置き、前記ネジヘッドにより前記ロッド溝の中の前記ロッドを反転させ、前記凹溝と位置合わせして前記ロッドを前記凹溝の中に入れ、前記外殻の位置を安定させ、前記外殻が後ろへ反転することを防止することを特徴とする扇風機。
【手続補正２】
【補正対象書類名】明細書
【補正対象項目名】全文
【補正方法】変更
【補正の内容】
【発明の詳細な説明】
【技術分野】
【０００１】
本発明は手持ち扇風機分野を取り上げて、具体的には扇風機である。
【背景技術】
【０００２】
手持ち扇風機は便利の物であり、いつでも風を吹き送って熱量を追い払うことができ、しかし、一般的なミニ扇風機はただ手に持って使用されることでき、ミニ扇風機を固定できなく、使用範囲が狭い。
【先行技術文献】
【特許文献】
【０００３】
【特許文献１】中国特許出願公開第106949077号明細書
【発明の概要】
【発明が解決しようとする課題】
【０００４】
本発明は扇風機を提供し、従来技術における上記欠点を解消すること
を目的とする。
【課題を解決するための手段】
【０００５】
本発明の実施例の扇風機は、扇風機主体を含み、前記扇風機主体の外側には外殻が設置され、前記外殻の中には均一に分布している弧状電池が設置され、前記外殻の底部端面には回転ベースが設置され、前記回転ベースの下方には前記外殻と前記回転ベースとを回転させることができる回転部品が設置され、前記回転部品は挟みベースを含み、前記挟みベースの中には挟み部品が設置され、前記挟み部品は前記挟みベースの中に位置している挟みチャンバを含み、前記挟みチャンバの左右壁の間にはガイドロッドが固定的に装着され、前記ガイドロッドには左スライダと右スライダとがスライドできるように装着され、前記左スライダと前記右スライダとの間が台座部分を挟むことができ、前記台座部分は伸縮ロッドと前記伸縮ロッドとネジ山により結合されている台座とを含み、前記台座と前記外殻との間には前記外殻が反転して倒れることを防止できる安定部品が設置されている。
【０００６】
更の技術プランとしては、前記回転部品はまた、前記挟みベースの中に位置している噛み合いチャンバを含み、前記回転ベースの底部端面には連結ブロックが設置され、前記連結ブロックの底部端面にはギヤが設置され、前記ギヤが前記噛み合いチャンバの中に位置しており、前記噛み合いチャンバの右側壁の中にはラックブロック溝が設置され、前記ラックブロック溝の中にはラックブロックがスライドできるように装着され、前記ラックブロックが前記ギヤと噛み合え、前記ラックブロックの右側端面には連結ロッドが連結され、前記ラックブロックと前記ラックブロック溝の右側壁との間には第一ばねが設置され、風を吹き送る方向を変える時、連結ロッドを右へ引き、ラックブロックを連動させて右へ移動させ、ラックブロックとギヤとの噛み合いを解除し、回転ベースを回転させることができ、これにより外殻を連動させて同期に回転させ、そして連結ロッドを放し、第一ばねの作用のもとでラックブロックがギヤと再び噛み合う。
【０００７】
更の技術プランとしては、前記挟み部品はまた、前記左スライダとネジ山により結合されているネジヘッドを含み、前記ネジヘッドが前記挟みベースの左側から前記挟みチャンバの中に挿し込んでおり、前記右スライダの右側端面と前記挟みチャンバの右側壁との間には第二ばねが設置され、前記台座部分はまた、連結ベースを含み、前記連結ベースの頂部端面には挟みヘッドが設置され、前記挟みヘッドの左側端面には左挿しブロックが設置され、前記左挿しブロックが前記左スライダの中に挿入されることができるように連結されることができ、前記挟みヘッドの右側端面には右挿しブロックが設置され、前記右挿しブロックが前記右スライダの中に挿入されることができるに連結されることができ、前記伸縮ロッドが手動転輪を通じて前記連結ベースと固定されており、ネジヘッドを回転させてネジ山結合により左スライダを連動させて移動させ、左スライダが左へ移動した後で左挿しブロックが左スライダから出て、挟みヘッドを揺り動かすと挟みヘッドを取り出すことができ、取り付ける時、右スライダを右へ押し、挟みヘッドを挿入し、右スライダが第二ばねの作用のもとで左へ移動して右挿しブロックに挿入されて連結され、ネジヘッドを利用して左スライダを連動させて移動させ、挟みヘッドをきつく挟み、伸縮ロッドの長さを制御することにより外殻の高さを制御する。
【０００８】
更の技術プランとしては、前記安定部品は前記台座の中に位置しており、且つ上へ開口した左右対称の挿し溝を含み、前記台座の中には上へ開口した左右対称のロッド溝が設置され、前記ロッド溝の中には斜め溝が設置され、前記ロッド溝の左右壁の間には回転リングが回転できるように装着され、前記回転リングにはロッドが設置され、前記外殻の後側端面には左右対称の凹溝が設置され、前記挟みベースの底端が前記挿し溝の中に挿し込むことができ、伸縮ロッドと挟みヘッドとを取り出した後、挟みベースを台座に置き、ネジヘッドによりロッド溝の中のロッドを反転させ、凹溝と位置合わせしてロッドを凹溝の中に入れ、外殻の位置を安定させ、外殻が後ろへ反転することを防止する。
【発明の効果】
【０００９】
本発明の有益効果は：本発明は構成が簡単で、操作が便利で、手に持って使用することも手で持たないで使用することもでき、台座をを利用して本発明を平面に置いて使用し、また左スライダと右スライダにより板状の物に挟んで使用することができ、しかも折り畳んで使用することもでき、使用範囲が広く、普及の価値がある。
【図面の簡単な説明】
【００１０】
【図１】図１は本発明の全体構成模式図
【図２】図２は折り畳まれた後の右側面図
【図３】図３は図１の中のＡにおける拡大模式図
【発明を実施するための形態】
【００１１】
以下に図１〜３を交えて本発明について詳しく説明する。便利に叙述するために、後文に出る方位を下記の通りに規定する：後文に出る上下左右前後方向は図１本体の投影関係の上下左右前後方向と一致する。
【００１２】
図１〜３を参照し、本発明の実施例の扇風機は、扇風機主体１１を含み、前記扇風機主体１１の外側には外殻１０が設置され、前記外殻１０の中には均一に分布している弧状電池１２が設置され、前記外殻１０の底部端面には回転ベース２２が設置され、前記回転ベース２２の下方には前記外殻１０と前記回転ベース２２とを回転させることができる回転部品９０１が設置され、前記回転部品９０１は挟みベース２３を含み、前記挟みベース２３の中には挟み部品９０２が設置され、前記挟み部品９０２は前記挟みベース２３の中に位置している挟みチャンバ２５を含み、前記挟みチャンバ２５の左右壁の間にはガイドロッド２６が固定的に装着され、前記ガイドロッド２６には左スライダ２７と右スライダ３２とがスライドできるように装着され、前記左スライダ２７と前記右スライダ３２との間が台座部分９０３を挟むことができ、前記台座部分９０３は伸縮ロッド１４と前記伸縮ロッド１４とネジ山により結合されている台座１５とを含み、前記台座１５と前記外殻１０との間には前記外殻１０が反転して倒れることを防止できる安定部品９０４が設置されている。
【００１３】
前記回転部品９０１はまた、前記挟みベース２３の中に位置している噛み合いチャンバ３６を含み、前記回転ベース２２の底部端面には連結ブロック４２が設置され、前記連結ブロック４２の底部端面にはギヤ３７が設置され、前記ギヤ３７が前記噛み合いチャンバ３６の中に位置しており、前記噛み合いチャンバ３６の右側壁の中にはラックブロック溝４９が設置され、前記ラックブロック溝４９の中にはラックブロック４１がスライドできるように装着され、前記ラックブロック４１が前記ギヤ３７と噛み合え、前記ラックブロック４１の右側端面には連結ロッド３８が連結され、前記ラックブロック４１と前記ラックブロック溝４９の右側壁との間には第一ばね４０が設置され、風を吹き送る方向を変える時、連結ロッド３８を右へ引き、ラックブロック４１を連動させて右へ移動させ、ラックブロック４１とギヤ３７との噛み合いを解除し、回転ベース２２を回転させることができ、これにより外殻１０を連動させて同期に回転させ、そして連結ロッド３８を放し、第一ばね４０の作用のもとでラックブロック４１がギヤ３７と再び噛み合う。
【００１４】
前記挟み部品９０２はまた、前記左スライダ２７とネジ山により結合されているネジヘッド２８を含み、前記ネジヘッド２８が前記挟みベース２３の左側から前記挟みチャンバ２５の中に挿し込んでおり、前記右スライダ３２の右側端面と前記挟みチャンバ２５の右側壁との間には第二ばね３３が設置され、前記台座部分９０３はまた、連結ベース３０を含み、前記連結ベース３０の頂部端面には挟みヘッド２９が設置され、前記挟みヘッド２９の左側端面には左挿しブロック３５が設置され、前記左挿しブロック３５が前記左スライダ２７の中に挿入されることができるように連結されることができ、前記挟みヘッド２９の右側端面には右挿しブロック３４が設置され、前記右挿しブロック３４が前記右スライダ３２の中に挿入されることができるに連結されることができ、前記伸縮ロッド１４が手動転輪３１を通じて前記連結ベース３０と固定されており、ネジヘッド２８を回転させてネジ山結合により左スライダ２７を連動させて移動させ、左スライダ２７が左へ移動した後で左挿しブロック３５が左スライダ２７から出て、挟みヘッド２９を揺り動かすと挟みヘッド２９を取り出すことができ、取り付ける時、右スライダ３２を右へ押し、挟みヘッド２９を挿入し、右スライダ３２が第二ばね３３の作用のもとで左へ移動して右挿しブロック３４に挿入されて連結され、ネジヘッド２８を利用して左スライダ２７を連動させて移動させ、挟みヘッド２９をきつく挟み、伸縮ロッド１４の長さを制御することにより外殻１０の高さを制御し、挟みヘッド２９を取り出した後、左スライダ２７と右スライダ３２により板状の物に挟むことができる。
【００１５】
前記安定部品９０４は前記台座１５の中に位置しており、且つ上へ開口した左右対称の挿し溝１６を含み、前記台座１５の中には上へ開口した左右対称のロッド溝１７が設置され、前記ロッド溝１７の中には斜め溝１８が設置され、前記ロッド溝１７の左右壁の間には回転リング２４が回転できるように装着され、前記回転リング２４にはロッド２１が設置され、前記外殻１０の後側端面には左右対称の凹溝２０が設置され、前記挟みベース２３の底端が前記挿し溝１６の中に挿し込むことができ、伸縮ロッド１４と挟みヘッド２９とを取り出した後、挟みベース２３を台座１５に置き、ネジヘッド２８によりロッド溝１７の中のロッド２１を反転させ、凹溝２０と位置合わせしてロッド２１を凹溝２０の中に入れ、外殻１０の位置を安定させ、外殻１０が後ろへ反転することを防止する。
【００１６】
使用する時、風を吹き送る方向を変える時、連結ロッド３８を右へ引き、ラックブロック４１を連動させて右へ移動させ、ラックブロック４１とギヤ３７との噛み合いを解除し、回転ベース２２を回転させることができ、これにより外殻１０を連動させて同期に回転させ、そして連結ロッド３８を放し、第一ばね４０の作用のもとでラックブロック４１がギヤ３７と再び噛み合う。
【００１７】
ネジヘッド２８を回転させてネジ山による結合を通じて左スライダ２７を連動させて移動させ、左スライダ２７が左へ移動した後で左挿しブロック３５が左スライダ２７の中から出て、挟みヘッド２９を揺り動かすと挟みヘッド２９を取り出すことができ、取り付ける時、右スライダ３２を右へ押し、挟みヘッド２９を挿入し、右スライダ３２が第二ばね３３の作用のもとで左へ移動して右挿しブロック３４の中に挿入されて連結され、これによりネジヘッド２８を利用して左スライダ２７を連動させて移動させ、挟みヘッド２９をきつく挟み、伸縮ロッド１４の長さを制御することにより外殻１０の高さを制御し、挟みヘッド２９を取り出した後、左スライダ２７と右スライダ３２により板状の物に挟むことができる。
【００１８】
折り畳む時、伸縮ロッド１４と挟みヘッド２９を取り出した後、挟みベース２３を台座１５に置き、ネジヘッド２８によりロッド溝１７の中のロッド２１を反転させ、凹溝２０と位置合わせして凹溝２０の中に入れ、外殻１０の位置を安定させ、外殻１０が後ろへ反転することを防止する。
【００１９】
本発明の有益効果は：本発明は構成が簡単で、操作が便利で、手に持って使用することも手で持たないで使用することもでき、台座をを利用して本発明を平面に置いて使用し、また左スライダと右スライダにより板状の物に挟んで使用することができ、しかも折り畳んで使用することもでき、使用範囲が広く、普及の価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。